(57)【要約】  このグロメットタイプジョイントは、ワイヤのための複数の通路（５４）を備えたプラグ部材（４１）を含み、前記通路は軸方向（Ｘ）において延在し、前記プラグ部材（４１）から突出した少なくとも１つのフランジ（４３）を含み、該フランジ（４３）はコネクタハウジング（３）の内周面（２７）に密封的に係合するために設けられている。前記フランジ（４３）は、前記プラグ部材（４１）の前記後側（４５）から後方に軸方向において突出し、前記内面（２７）を備えた前記フランジの接触領域は、前記軸方向（Ｘ）において前記後側（４５）に関して少なくとも部分的にオフセットされている。
2008536276.tif 000002
【特許請求の範囲】
【請求項１】
前側（４７）および後側（４５）とワイヤのための複数の通路（５４）とを備えたプラグ部材（４１）であって、前記通路は、軸方向（Ｘ）において前記後側（４５）から前記前側（４７）へと延在しているプラグ部材（４１）と、
前記プラグ部材（４１）から突出した少なくとも１つの周囲フランジ（４３）であって、該フランジは、コネクタハウジング（３）の内周面（２７）に密封的に係合するために設けられている周囲フランジ（４３）とを含んだ、電気コネクタのためのグロメットタイプジョイントにおいて、
前記フランジ（４３）は、前記プラグ部材（４１）の前記後側（４５）から後方に軸方向において突出し、前記内面（２７）を備えた前記フランジ（４３）の接触領域は、前記軸方向（Ｘ）において前記後側（４５）に関して少なくとも部分的にオフセットされていることを特徴とするグロメットタイプジョイント。
【請求項２】
前記プラグ部材（４１）は、それぞれの前記通路（５４）に設けられた少なくとも１つの環状の内部リップ（５７）を備え、
該内部リップ（５７）は変形可能な狭窄領域を形成し、
前記フランジ（４３）は前記狭窄領域から軸方向において離隔されていることを特徴とする、請求項１に記載のグロメットタイプジョイント。
【請求項３】
前記プラグ部材（４１）は、それぞれの前記通路（５４）に設けられた少なくとも１組の離隔された前記内部リップ（５７）を備えていることを特徴とする、請求項１または２に記載のグロメットタイプジョイント。
【請求項４】
前記フランジ（４３）は略円筒形の外周面（５９）を備えていることを特徴とする、請求項１〜３のいずれか一項に記載のグロメットタイプジョイント。
【請求項５】
前記フランジ（４３）は略平行６面体の外周面（５９）を備えていることを特徴とする、請求項１〜４のいずれか一項に記載のグロメットタイプジョイント。
【請求項６】
前記フランジの外周面（５９）には径方向に外周に突出した外部リップ（６１）が設けられ、該外部リップ（６１）は前記ハウジング（３）とともに前記フランジ（４３）の接触領域を形成していることを特徴とする、請求項４または５に記載のグロメットタイプジョイント。
【請求項７】
絶縁ハウジング（３）、および該ハウジング（３）に配置された請求項１〜６のいずれか一項に記載のグロメットタイプジョイント（５）を含んでいる電気コネクタ。
【請求項８】
前記ジョイント（５）の通路（５４）に一致している軸方向通路（３４）を備えたグリッド（７）をさらに含み、該グリッド（７）は前記ハウジング（３）内の前記フランジ（４３）に接して軸方向に支持する位置において固定され、その位置において、前記フランジは前記ハウジング内で軸方向に圧縮されていることを特徴とする、請求項７に記載の電気コネクタ。
【請求項９】
前記グリッド（７）は軸方向（Ｘ）に関して相補的な傾斜面（６３，６５）を備え、該傾斜面は相互に係合して配置されるように設けられ、前記グリッド（７）は前記ハウジング（３）の内周面（２７）に、フランジ（４３）を径方向に圧縮していることを特徴とする、請求項７または８に記載の電気コネクタ。
【請求項１０】
前記フランジ（４３）は全体的に三角形状の断面を備えていることを特徴とする、請求項９に記載の電気コネクタ。
【請求項１１】
前記グリッド（７）は突起（６７）を備え、該突起は前記傾斜面（６５）から突出して、前記フランジ（４３）の相補的な傾斜面（６３）に係合することを特徴とする、請求項９または１０に記載の電気コネクタ。
【発明の詳細な説明】
【技術分野】
【０００１】
本発明は、電気コネクタのためのグロメットタイプジョイント、およびそのようなジョイントを使用してシールされた電気コネクタに関す。
【背景技術】
【０００２】
グロメットタイプジョイントは、コネクタハウジングの後部スカート専用に構成され、グリッドによって所定の位置に保持される技術で共通に使用される。それはグロメット後部側で支持され、ハウジングに着脱可能に固定されている。
【０００３】
より具体的には、本発明はグロメットに関するものであり、そのグロメットは、前側および後側とワイヤのための複数の通路とを備えたプラグ部材であって、前記通路は、軸方向において前記後側から前記前側へと延在しているプラグ部材と、前記プラグ部材から突出した少なくとも１つの周囲フランジであって、該フランジは、コネクタハウジングの内周面に密封的に係合するために設けられている周囲フランジとを含んでいる。
【０００４】
そのような周知のグロメットにおいて、外周フランジは外周リップによって形成されており、その外周リップはプラグの外面から径方向に突出している。したがって、ハウジングの内面を伴った外周のシール接触は、ワイヤ上で個別にシールされる通路の領域内に含まれる軸方向領域において形成されている。
【発明の開示】
【発明が解決しようとする課題】
【０００５】
そのようなグロメットを伴って、周囲のシールおよび個別のシールは相互に影響しており、１つの特別なグロメットを多様なハウジングの形状に適合するようにデザインすることは、非常に困難なことである。
【０００６】
さらに、そのようなグロメットの周囲のシール特性と個別のシール特性との双方を最適化することは、非常に困難なことである。
【課題を解決するための手段】
【０００７】
本発明の目的は、上述のタイプの、電気コネクタのための改良されたジョイントを提供することであり、少なくとも１つの上述の欠点を克服することである。
【０００８】
したがって、本発明は上述のタイプのグロメットタイプジョイントを提供し、そのジョイントは、フランジが、前記プラグ部材の前記後側から後方に軸方向において突出し、前記内面を備えた前記フランジの接触領域が、前記軸方向において前記後側（４５）に関して少なくとも部分的にオフセットされている。
【０００９】
さらに、この特徴はチャンバに適合した端子の近傍で、個別のシール領域を設けることを可能にし、一方で、周囲シールが機能するハウジング領域内に設けられ、その寸法はより小さいものとされている。
【００１０】
本発明は、後述の本発明の１つの特別な実施形態の記載を読むことで、より明確に理解されるであろう。それは限定的な例示を与えるものではない。
【発明を実施するための最良の形態】
【００１１】
本発明によるグロメットタイプジョイント（ここではグロメットとする）を含んだコネクタが、図１および図２に示されている。このコネクタは自動車部品に使用されるタイプのものであり、相手コネクタ（図示略）と嵌合するようになっている。
【００１２】
図において、嵌合方向はＸ軸として表示されており、その軸はこのコネクタから相手コネクタに向かっている。
【００１３】
本明細書において使用されている方向または位置という語は、この嵌合方向を参照する。特に、“前方”または“前部”の語は、嵌合方向において方向付けられているものとする。
【００１４】
図に示されているマルチウェイコネクタ１は絶縁ハウジング３を含み、そのハウジングには、複数の端子が適合するためのチャンバ４、グロメット５およびグリッド７が形成されている。
【００１５】
そのコネクタは、個々のワイヤ１０に圧着された複数の端子も含んでおり、ハウジング３の個々の適合するチャンバ４内に固定されて配置されている。
【００１６】
ここでは１つの端子のみが図示されている。
【００１７】
そのコネクタは、第２係止部材１１（図２に示されている）も含んでおり、その係止部材は、ハウジング３の前側領域に組みつけられて固定されている。その第２係止部材は、端子９が個々のチャンバ４内の適切な機能位置に確実に固定されるようにしており、個々のチャンバ内で端子の高い保持力を発揮するようにしている。
【００１８】
ハウジング３は全体的に平行６面体の前部２１を備え、通路を通るようにチャンバ４と後部スカート２３とに適合するように形成されている。
【００１９】
前記後部スカート２３は主に周囲の外壁からなり、その外壁は全体的に平行６面体形状で、前部２１の後端から後方且つ外側に突出している。スカート２３は内側凹部を形成し、グロメット５とスカート７とに適合するために後方において開かれている。スカート２３は、後側内部周囲面２７と下部領域の前側内部周囲面２８との間で、内部管状面２５を備え、軸アバットメントを形成している。
【００２０】
ハウジング３は好適にはプラスチック材料製で一体に成型されているのが良い。
【００２１】
グリッド７も好適にはプラスチック材料製で一体に成型されているのが良く、基本的に、チャンバ４に一致する、貫通した軸通路３４を備えたプレートとして、形成されているのが良い。グリッド７も、その使用位置においてスカート２３内にグリッド７を着脱可能に固定するために設けられた、係止手段３５を備えている。
【００２２】
グロメット５は、基本的にプラグ部材４１と、そのプラグ部材４１から突出した外周フランジ４３とを含んでいる。
【００２３】
それは弾性的な弾性材で一体的に形成されている。
【００２４】
プラグ部材４１は略平行６面体形状であり、対向した後側４５および前側４７と、外周面４９とを備えている。外周面４９はスカートの前側内部周囲面２８内に適合するようにデザインされている。
【００２５】
プラグ部材４１には貫通通路（貫通穴）５４が形成されており、使用形態において、個々の通路３４とチャンバ４とに一致して配列されている。従って、通路５４はプラグ部材４１の後側４５から前側４７まで軸方向に延在している。
【００２６】
プラグ部材４１は、軸方向に離れて配置された一組の環状の内部リップ５７を備えており、その内部リップはそれぞれの通路５４に設けられ、従ってその内部リップは２つの変形可能な狭窄領域を形成している。使用時において、その内部リップ５７は個々のワイヤを密封的に係合し、図２に示しているように、前記狭窄領域においてワイヤを内部で個別にシールしている。
【００２７】
フランジ４３は、径方向および軸方向の両方でプラグ部材４１から外側に突出している。フランジ４３は略平行６面体形状の外周面５９と、その外周面５９から径方向に突出した外部リップ６１とを備えている。
【００２８】
使用時において、図２に見られるように、その外部リップ６１はフランジ４３とハウジングの後側内部周囲面２７との接触領域、およびハウジング３の外周シール領域とを形成している。
【００２９】
フランジ４３は内部平面６３を備え、その面はＸ軸に関して傾いており、その部分においてフランジは全体的に三角形状の断面を備えている。
【００３０】
グリッド７は対応する傾斜面６５を備え、その面はＸ軸に向かって傾いており、面６３に係合するために設けられている。グリッド７も傾斜面６５から垂直に突出した突起６７を備えて形成されている。
【００３１】
使用形態におけるコネクタ部品を示している図２を参照すると、グリッド７はフランジ４３に軸方向に支持されており、一方でプラグ部材４１の前側４７はハウジング３の環状の内側肩部に支持されていることが理解される。フランジ４３も環状面２５のアバットメント内に配置されている。
【００３２】
グリッド７は傾斜面６３，６５が互いに係合する軸方向の位置において、ハウジング内に固定され、突起６７は傾斜面６５を突き通すことで係合している。
【００３３】
従って、グリッド７はグロメット５の軸方向におけるわずかな圧縮効果を提供しており、フランジ４３を強制的に径方向にわずかに拡張させ、そこでリップ６１は緩やかな圧力の下で内面２７に係合している。
【００３４】
使用時において、平行６面体のシール領域が、Ｘ軸方向においてプラグ部材４１の後側４５に関して、および個別の内部シール領域に関して後方にオフセットされていることは、好適なことである。
【図面の簡単な説明】
【００３５】
【図１】本発明のグロメットジョイントが設けられた電気コネクタの部分分解図を示している。
【図２】チャンバに適合する端子の軸中央面ＩＩにおける、図１に示された組み立てられたコネクタ部品の断面図を示している。
【符号の説明】
【００３６】
１      マルチウェイコネクタ
３      ハウジング
４      チャンバ
５      グロメット
７      後部グリッド
９      端子
１０    ワイヤ
１１    第２係止部在
２１    前部
２３    スカート
２５    内部環状面
２７    後側内部周囲面
２８    前側内部周囲面
３４    軸通路
３５    係止手段
４１    プラグ部材
４３    フランジ
４９    外周面
５４    通路
５７    内部リップ
５９    外周面
６１    リップ
６３    内部平面
６５    傾斜面
６７    突起
【図１】
2008536276.tif 000003
【図２】
2008536276.tif 000004
【国際調査報告】
2008536276.tif 000005
2008536276.tif 000006